(57)【要約】【課題】  コンタクト３の弾性接触片３３が、コンタクト収容孔１２内に挿入される電線Ｗの芯線Ｗ１と弾性接触して保持する接触保持部３８を具備した電線接続用コネクタにおいて、構造を簡単にすると共に、小型化を図ること。【解決手段】  弾性接触片３３が折返片３４、傾斜片３５及び当接片３６を具備し、傾斜片３５と当接片３６に跨って接触保持部形成孔３７を形成し、接触保持部形成孔３７の電線挿入口１３側の端縁を接触保持部３８とし、接触保持部３８をハウジング１の内壁面から離してハウジング１の内壁面を傷付けずに弾性接触片３３の芯線Ｗ１に対する予圧を大きくしてハウジング１の高さ寸法を抑制する。また、ハウジング１のコンタクト収容孔１２の上側部に接続解除用治具５を挿入するための治具挿入孔１６を形成して、接続解除のための構造を簡単にする。【選択図】  図１
2007087621.tif 000002
【特許請求の範囲】
【請求項１】
前面に電線挿入口（１３）が形成され内部に電線挿入口（１３）に連通するコンタクト収容孔（１２）が形成されたハウジング（１）と、ハウジング（１）に保持されたコンタクト（３）とを具備し、コンタクト（３）が、ハウジング（１）のコンタクト収容孔（１２）の下側部に支持された支持片（３１）と、支持片（３１）の電線挿入口（１３）側から折り返してコンタクト収容孔（１２）内に弾性変形可能に配設されるとともに、電線挿入口（１３）から挿入される電線（Ｗ）の芯線（Ｗ１）と弾性接触する弾性接触片（３３）とを具備した電線接続用コネクタであって、弾性接触片（３３）が、支持片（３１）の電線挿入口（１３）側に連設された折返片（３４）と、折返片（３４）の先端に連設されてハウジング（１）のコンタクト収容孔（１２）の上側部へ近づくように傾斜した傾斜片（３５）と、傾斜片（３５）の先端に連設されてコンタクト収容孔（１２）の上側壁内面に当接する当接片（３６）とを具備し、傾斜片（３５）と当接片（３６）に跨って接触保持部形成孔（３７）を形成し、接触保持部形成孔（３７）の電線挿入口（１３）側の端縁を挿入される電線（Ｗ）の芯線（Ｗ１）と接触してこれを保持する接触保持部（３８）とし、ハウジング（１）のコンタクト収容孔（１２）の上側部であって当接片（３６）と当接する部分に、接続解除用治具（５）を挿入するための治具挿入孔（１６）を形成したことを特徴とする電線接続用コネクタ。
【請求項２】
接触保持部形成孔（３７）は、平面視で矩形状に形成されると共に、その横幅が電線挿入口（１３）の横幅より大きく形成されていることを特徴とする請求項１記載の電線接続用コネクタ。
【請求項３】
ハウジング（１）のコンタクト収容孔（１２）の上側部であって当接片（３６）と当接する部分に、電線挿入口（１３）から挿入された電線（Ｗ）の芯線（Ｗ１）の有無を目視可能な窓孔（１７）を形成したことを特徴とする請求項１又は２記載の電線接続用コネクタ。  
【請求項４】
窓孔（１７）を治具挿入孔（１６）と連続して形成したことを特徴とする請求項３記載の電線接続用コネクタ。
【請求項５】
当接片（３６）に、当接片（３６）の一部を下側に切り起こして電線挿入口（１３）から挿入された電線（Ｗ）の芯線（Ｗ１）の先端に当接するストッパー（３９）を形成したことを特徴とする請求項１〜４のいずれか一項記載の電線接続用コネクタ。
【請求項６】
接触保持部形成孔（３７）が、打ち抜きによって形成されたＵ字状の孔と、このＵ字状孔で形成された舌片を下側に切り起こして形成された孔とで形成され、前記切り起こされた舌片をストッパー（３９）としたことを特徴とする請求項５記載の電線接続用コネクタ。
【発明の詳細な説明】
【技術分野】
【０００１】
本発明は、電線接続用コネクタに関するもので、例えば電線とプリント配線基板とを電気的に接続するために使用される電線接続用コネクタに関するものである。
【背景技術】
【０００２】
従来の電線接続用コネクタには、例えば図１１又は図１２に示すようなものが知られている。
図１１に示す電線接続用コネクタは、ハウジング１００と、このハウジング１００に保持されたコンタクト１１０とを具備し、コンタクト１１０は、ハウジング１００に支持されて対向配置された垂直支持片１１１、１１２と、垂直支持片１１１、１１２の下端を連結する水平連結片１１３と、垂直支持片１１１、１１２の下端から下方へ延伸してハウジング１００の外へ突出する端子片１１５、１１６と、一方の垂直支持片１１１の上端からハウジング１００のコンタクト収容孔１０１内へ折り返された弾性変形可能な弾性接触片１１８とを具備し、弾性接触片１１８の先端には弾性接触保持部１１９が形成されている。
そして、電線Ｗとの接続には、ハウジング１００の電線挿入口１０２から電線Ｗを挿入し、その芯線Ｗ１を弾性接触片１１８の接触保持部１１９と垂直支持片１１２との間に圧入し、弾性接触片１１８を押圧して弾性変形させ、弾性接触片１１８の接触保持部１１９が芯線Ｗ１に弾性的に接触して、芯線Ｗ１を垂直支持片１１２との間に保持するとともに、電線Ｗとプリント配線基板Ｐを電気的に接続する。
また、電線Ｗの抜去時には、ハウジング１００の治具挿入口１０３から接続解除用治具Ｊを挿入して、弾性接触片１１８を二点鎖線で示す位置まで変位させ、芯線Ｗ１への挟持を解除して電線Ｗの抜去を可能とする。
【０００３】
また、図１２に示す電線接続用コネクタは、プリント配線基板Ｐを保持する支持部材２００と、この支持部材２００に形成された上面開口のコンタクト収容凹部２０１を閉塞するカバー２１０と、支持部材２００及びカバー２１０に保持されたコンタクト２２０とを具備し、コンタクト２２０は、コンタクト収容凹部２０１内に配設されて支持部材２００及びカバー２１０に支持されたＵ字状の支持片２２１と、その一端に延伸された水平支持片２２２と、水平支持片２２２の先端に延設されて支持部材２００の外へ突出する端子片２２３と、支持片２２１の他端からコンタクト収容凹部２０１内へ折り返された弾性変形可能な弾性接触２２５とを具備し、弾性接触片２２５の先端には接触保持部２２６が形成されている。
そして、電線Ｗとの接続時には、カバー２１０の電線挿入口２１１から電線Ｗを挿入し、芯線Ｗ１を弾性接触片２２５の接触保持部２２６と支持片２２１との間に圧入し、弾性接触片２２５を押圧して弾性変形させ、弾性接触片２２５の接触保持部２２６が芯線Ｗ１に弾性的に接触して芯線Ｗ１を支持片２２１との間に挟持するとともに、電線Ｗとプリント配線基板Ｐとを電気的に接続する。
また、電線Ｗの抜去時には、挿入時及び接続時に図１２に実線で示す位置にあって支点２３１の回りに回動可能なの操作部２３２を、反時計回り方向に操作することにより押圧部２３３で弾性接触片２２５を押圧して弾性変形させ、芯線Ｗ１への挟持を解除して電線Ｗの抜去を可能とする。（例えば特許文献１の図４参照）
【特許文献１】Ｕ．Ｓ．Ｐａｔｅｎｔ  Ｎｏ．５，９１５，９９１
【発明の開示】
【発明が解決しようとする課題】
【０００４】
しかしながら、図１１に示した公知例では、プリント配線基板Ｐの基板面に対して垂直に電線Ｗを挿入する縦型であるため、高さを抑制することができないという問題点があった。
また、コンタクト１１０の垂直支持片１１１、１１２がコンタクト収容孔１０１内に対向配置されているため、幅寸法を大きくしなければならないという問題点があった。
このため、外形形状が大きくなる（例えば２極の場合、縦１０．０ｍｍ、横８．５ｍｍ、高さ１２．５ｍｍ）という問題点があった。
【０００５】
また、図１２に示した公知例では、レバー２３０が必要になるなど、構造が複雑になるという問題点があった。
【０００６】
本発明は上述の問題点に鑑みなされたもので、構造を簡単にして小型化（例えば低背化）を図ることのできる電線接続用コネクタを提供することを目的とする。 
【課題を解決するための手段】
【０００７】
請求項１記載の発明は、前面に電線挿入口が形成され内部に電線挿入口に連通するコンタクト収容孔が形成されたハウジングと、前記ハウジングに保持されたコンタクトとを具備し、前記コンタクトが、前記ハウジングの前記コンタクト収容孔の下側部に支持された支持片と、前記支持片の前記電線挿入口側から折り返して前記コンタクト収容孔内に弾性変形可能に配設されるとともに、前記電線挿入口から挿入される電線の芯線と弾性接触する弾性接触片とを具備した電線接続用コネクタであって、前記弾性接触片が、前記支持片の前記電線挿入口側に連設された折返片と、前記折返片の先端に連設されて前記ハウジングの前記コンタクト収容孔の上側部へ近づくように傾斜した傾斜片と、前記傾斜片の先端に連設されて前記コンタクト収容孔の上側壁内面に当接する当接片とを具備し、前記傾斜片と前記当接片に跨って接触保持部形成孔を形成し、前記接触保持部形成孔の前記電線挿入口側の端縁を挿入される電線の芯線と接触してこれを保持する接触保持部とし、前記ハウジングの前記コンタクト収容孔の上側部であって前記当接片と当接する部分に接続解除用治具を挿入するための治具挿入孔を形成したことを特徴とする。  
【０００８】
請求項２記載の発明は、請求項１記載の発明において、接触保持部形成孔が平面視で矩形状に形成されると共に、その横幅が電線挿入口の横幅より大きく形成されていることを特徴とする。       
【０００９】
請求項３記載の発明は、請求項１又は２記載の発明において、ハウジングのコンタクト収容孔の上側部であって当接片と当接する部分に、電線挿入口から挿入された電線の芯線の有無を目視可能な窓孔を形成したことを特徴とする。              
【００１０】
請求項４記載の発明は、請求項３記載の発明において、窓孔を治具挿入孔と連続して形成したことを特徴とする。    
【００１１】
請求項５記載の発明は、請求項１〜４のいずれか一項記載の発明において、当接片に、当接片の一部を下側に切り起こして電線挿入口から挿入された電線の芯線の先端に当接するストッパーを形成したことを特徴とする。   
【００１２】
請求項６記載の発明は、請求項５記載の発明において、接触保持部形成孔が打ち抜きによって形成されたＵ字状の孔と、このＵ字状孔で形成された舌片を下側に切り起こして形成された孔とで形成され、前記切り起こされた舌片をストッパーとしたことを特徴とする。
【発明の効果】
【００１３】
請求項１記載の発明は、ハウジングとコンタクトを具備し、コンタクトが支持片と弾性接触片を具備した電線接続用コネクタにおいて、弾性接触片が折返片、傾斜片及び当接片を具備し、傾斜片と当接片に跨って接触保持部形成孔を形成し、接触保持部形成孔の電線挿入口側の端縁を電線の芯線に接触してこれを保持する接触保持部とし、接触保持部がハウジングのコンタクト収容孔の上側壁内面から離れるようにしたので、ハウジングの内壁面を傷つけずに弾性接触片の芯線に対する予圧を大きくすることができ、高さ寸法を抑制して小型化を図ることができる。
また、ハウジングのコンタクト収容孔の上側壁に治具挿入孔を形成し、この治具挿入孔から挿入した接続解除用治具で弾性接触片を押して芯線との接触を解除できるようにしたので、電線との接続解除のための構造を簡単にすることができる。
【００１４】
請求項２記載の発明は、請求項１記載の発明において、接触保持部形成孔を平面視で矩形状にするとともにその横幅を電線挿入口の横幅より大きく形成したので、電線の芯線をコンタクト収容孔内へ挿入する操作を容易にして作業性を向上させることができる。
【００１５】
請求項３記載の発明は、請求項１又は２記載の発明において、ハウジングのコンタクト収容孔の上側部であって当接片と当接する部分に窓孔を形成し、電線挿入口から挿入された電線の芯線の有無を目視できるようにしたので、電線の芯線が弾性接触片の接触保持部に接触、保持されているか否かを目視で判別することができる。
【００１６】
請求項４記載の発明は、請求項３記載の発明において、窓孔を治具挿入孔と連続して形成したので、窓孔及び治具挿入孔の形成を容易にすることができる。
【００１７】
請求項５記載の発明は、請求項１〜４のいずれか一項記載の発明において、当接片に当接片の一部を下側に切り起こしたストッパーを形成し、電線挿入口から挿入された電線の芯線の先端に当接するようにしたので、電線の芯線が必要以上挿入されるのを防止できるとともに、電線との接続解除時に接続解除用治具で押圧される弾性接触片の変位量を制限して、弾性接触片のヘタリを防止することができる。     
【００１８】
請求項６記載の発明は、請求項５記載の発明において、接触保持部形成孔がＵ字状孔と舌片の切り起こしで形成された孔とで形成され、切り起こされた舌片をストッパーとしたので、接触保持部形成孔とストッパーの設計の自由度を大きくすることができる。
【実施例】
【００１９】
図１〜図９は本発明による電線接続用コネクタの一実施例を示すもので、これらの図において、１はハウジング、３はコンタクト、５は接続解除用治具、６はホールドダウン、Ｐはプリント配線基板、Ｗは電線、Ｗ１は電線Ｗの芯線（例えば単線）、Ｗ２は電線Ｗの被覆部分である。
【００２０】
ハウジング１は、絶縁性合成樹脂で一体に成形され、外形が背の低い直方体形状（例えば、縦が９ｍｍ、横が１３ｍｍ、高さが２．７ｍｍ）に形成されている。
ハウジング１には、図８、図９に示すように、前後方向に貫通する略矩形筒状の中央貫通孔１１と、この中央貫通孔１１の両側に位置して前後方向に貫通する略正方形筒状のコンタクト収容孔１２、１２が形成されている。
ハウジング１の前面側には、コンタクト収容孔１２と連通する電線挿入口１３及び電線係合段部１４が形成され、ハウジング１の後面側にはコンタクト収容孔１２と連通するコンタクト挿入口１５が形成されている。
電線挿入口１３は、コンタクト収容孔１２の上側部でコンタクト収容孔１２と連通するとともに断面が略正方形状に形成され、芯線Ｗ１の挿入を容易とするために前面側を連通側より拡開するテーパ状に形成され、その前面側開口端面が電線係合段部１４の段面となって電線Ｗの被覆部分Ｗ２がコンタクト収容孔１２内に入らないように形成されている。
【００２１】
ハウジング１のコンタクト収容孔１２の上側壁のうちの後面側に位置する部分には、治具挿入孔１６と窓孔１７が連続して形成されている。
治具挿入孔１６は接続解除用治具５を挿入するためのもので、窓孔１７より後面側に位置して形成され、窓孔１７の前面側端縁はコンタクト３の後述するストッパー３９よりも前面側に位置して形成され、この窓孔１７によって、挿入される電線Ｗの芯線Ｗ１がコンタクト収容孔１２内の所定位置まで挿入されているか否かを目視することができる。
ハウジング１の両側部には、図９に示すように前面側と底面側に開口したホールドダウン保持溝１８、１８が形成され、このホールドダウン保持溝１８、１８には、ホールドダウン６、６が圧入、 係止されている。
【００２２】
コンタクト３は、厚さｔ（例えばｔ＝０．２５ｍｍ）の導電性金属板の打ち抜き、折り曲げ加工によって形成されている。
コンタクト３は、コンタクト挿入口１５からハウジング１のコンタクト収容孔１２内に収容されて保持され、ハウジング１のコンタクト収容孔１２の下側部（下側壁）に形成された係止溝に圧入、係止された略長方形板状の支持片３１と、支持片３１の後面側に連設された幅狭帯状の端子片３２と、支持片３１の前面側に連設された弾性接触片３３とを具備している。
【００２３】
弾性接触片３３は、支持片３１の前面側から後面側へ折り返された折返片３４と、この折返片３４の先端側に順次連設された傾斜片３５、当接片３６とを具備している。
折返片３４は、支持片３１よりやや狭幅の帯状に形成されるとともに、折返後はコンタクト収容孔１２の上側壁内面と略平行であって、上側壁内面との間隔が芯線Ｗ１の直径と略同一かやや大きくなるように形成されている。
傾斜片３５は、折返片３４よりやや広幅の帯状に形成されるとともに、コンタクト収容孔１２の上側壁内面に近づくように傾斜して形成され、当接片３６は、コンタクト収容孔１２の上側壁内面に予圧をもって当接するように形成されている。
傾斜片３５と当接片３６には、両者に跨って平面視が略矩形状の接触保持部形成孔３７が形成され、この接触保持部形成孔３７の前面側端縁が挿入される電線Ｗの芯線Ｗ１と弾性接触してこれを保持する接触保持部３８となっている。
接触保持部形成孔３７は、コンタクト３の成形時における打ち抜きで形成されたＵ字状の孔と、このＵ字状孔で形成された舌片を下側に切り起こして形成された孔とで形成され、この切り起こされた舌片をストッパー３９としている。
【００２４】
上述のようにして形成された電線接続用コネクタは、図７に示すプリント配線基板Ｐの所定位置に配置され、コンタクト３、３の端子片３２、３２がプリント配線基板Ｐの対応する接続パッドＰ１、Ｐ１に半田接続されてプリント配線基板Ｐの回路パターンと電気的に接続され、ホールドダウン６がプリント配線基板Ｐの対応する接続パッドＰ２、Ｐ２に半田接続されてハウジング１がプリント配線基板Ｐに安定的に固定される。
【００２５】
つぎに、上述のようにしてプリント配線基板Ｐに接続、固定された電線接続用コネクタに対する電線Ｗの挿入、接続と接続解除について、図１０を併用して説明する。
【００２６】
（１）図１０（a）に示すように、電線Ｗの芯線Ｗ１を電線挿入口１３からコンタクト収容孔１２内に挿入すると、コンタクト３の折返片３４の上面とコンタクト収容孔１２の上側壁内面とが略平行でその間隔が芯線Ｗ１の直径と略同一かやや大きいので、傾斜片３５に当接するまで円滑に挿入される。
【００２７】
（２）ついで、電線Ｗの芯線Ｗ１をコンタクト収容孔１２の上側壁内面とコンタクト３の傾斜片３５及び当接片３６の間に圧入すると、コンタクト３の傾斜片３５及び当接片３６が下側へ押圧、変位して弾性接触片３３が図１０（ｂ）に示すように弾性変形し、芯線Ｗ１が弾性接触片３３の接触保持部３８に弾性接触して保持され、コンタクト３を介して電線Ｗとプリント配線基板Ｐが電気的に接続される。
このとき、接触保持部形成孔３７の横幅（例えば１．２ｍｍ）が電線挿入口１３の横幅（例えば０．８ｍｍ）より大きく形成されているので、芯線Ｗ１の圧入を容易にして作業性を向上させることができる。
また、電線Ｗのコンタクト収容孔１２への挿入時に芯線Ｗ１の先端がストッパー３９に当接して挿入が規制されるので、芯線Ｗ１の挿入し過ぎを防止できる。
また、窓孔１７の前面側端縁がストッパー３９より前面側に形成されているので、挿入された電線Ｗの芯線Ｗ１がコンタクト収容孔１２の所定位置（例えばストッパー３９の近く）まで、挿入されているか否かを、窓孔１７を介して目視することができ、電線Ｗが適正に挿入されたか否かを容易に確認することができる。
【００２８】
（３）電線Ｗを電線接続用コネクタから接続解除するときは、図１０（ｃ）に示すように、接続解除用治具５を治具挿入孔１６から挿入し、その先端部で当接片３６を下方へ押圧、変位させ、弾性接触片３３の接触保持部３８による芯線Ｗ１への接触、保持を解除することにより、電線Ｗをコンタクト収容孔１２から抜去することができる。
このとき、ストッパー３９の先端部が支持片３１に当接して当接片３６が必要以上下方へ変位するのを防止しているので、弾性接触片３３に必要以上の外力が加わるのを規制してヘタリを防止することができる。
【００２９】
前記実施例では、電線の芯線が単線であって、電線接続用コネクタへの挿入接続を芯線の圧入で行う場合について説明したが、本発明はこれに限るものでなく、電線の芯線が撚線であって、接続解除用治具でコンタクトの当接片を押圧しコンタクト収容孔の上側壁内面と接触保持部の間を拡開して芯線の挿入を行う場合や、電線の芯線が単線であって、接続解除用治具でコンタクトの当接片を押圧してコンタクト収容孔の上側壁内面と接触保持部の間を拡開し、圧入せずに芯線の挿入を行う場合についても利用することができる。
【００３０】
前記実施例では、接触保持部形成孔とストッパーの設計の自由度を大きくするために、接触保持部形成孔をＵ字状孔と舌片の切り起しで形成された孔とで形成した場合について説明したが、本発明はこれに限るものでなく、例えばＵ字状孔の形成を省略し、接触保持部形成孔を打ち抜き孔で形成し、そのうち抜き時に残した打ち抜き片をストッパーとした場合についても利用することができる。
【００３１】
前記実施例では、電線の必要以上の挿入を防止するとともに、弾性接触片のヘタリを防止するために当接片の変位量を規制するストッパーを設けた場合について説明したが、本発明はこれに限るものでなく、ストッパーを省略した場合についても利用することができる。 
【００３２】
前記実施例では、窓孔及び治具挿入孔の形成を容易にするために、窓孔を治具挿入孔と連続して形成した場合について説明したが、本発明はこれに限るものでなく、窓孔と治具挿入孔を離して別々に形成した場合についても利用することができる。
【００３３】
前記実施例では、 電線の芯線がコンタクトの接触保持部に接触、保持されているか否かを目視で判断できるようにするために、ハウジングのコンタクト収容孔の上側壁に相当する部分に窓孔を形成した場合について説明したが、本発明はこれに限るものでなく、窓孔を省略した場合についても利用することができる。
【００３４】
前記実施例では、電線の芯線をコンタクト収容孔内へ挿入する操作を容易にして作業性を向上させるために、接触保持部形成孔の横幅を電線挿入口の横幅より大きく形成した場合について説明したが、本発明はこれに限るものでなく、接触保持部形成孔の横幅を電線挿入口の横幅より小さく形成した場合についても利用することができる。
【図面の簡単な説明】
【００３５】
【図１】本発明による電線接続用コネクタの一実施例を示すもので、（a）は図２のＡ−Ａ線拡大断面図、（ｂ）は（a）中のコンタクト３  を示す拡大斜視図である。
【図２】本発明による電線接続用コネクタの平面図である。
【図３】図２の正面図である。
【図４】図２の底面図である。
【図５】図２の右側面図である。
【図６】図３の背面側を示す図である。
【図７】図１中のプリント配線基板Ｐを示す部分平面図である。
【図８】図２を正面側（前面側）から見た斜視図である。
【図９】図２を背面側（後面側）から見た斜視図である。
【図１０】電線Ｗの挿入接続、接続解除の説明図である。
【図１１】公知例１を示す断面図である。
【図１２】公知例２を示す断面図である。
【符号の説明】
【００３６】
１…ハウジング
１２…コンタクト収容孔
１３…電線挿入口
１６…治具挿入孔  
１７…窓孔  
３…コンタクト     
３１…支持片  
３３…弾性接触片
３４…折返片  
３５…傾斜片     
３６…当接片
３７…接触保持部形成孔３７  
３８…接触保持部     
３９…ストッパー      
５…接続解除用治具      
Ｐ…プリント配線基板                 
Ｗ…電線                    
Ｗ１…電線Ｗの芯線
【図１】
2007087621.tif 000003
【図２】
2007087621.tif 000004
【図３】
2007087621.tif 000005
【図４】
2007087621.tif 000006
【図５】
2007087621.tif 000007
【図６】
2007087621.tif 000008
【図７】
2007087621.tif 000009
【図８】
2007087621.tif 000010
【図９】
2007087621.tif 000011
【図１０】
2007087621.tif 000012
【図１１】
2007087621.tif 000013
【図１２】
2007087621.tif 000014